(57)【要約】【課題】異なる直流電圧が印加された端子間がショートしたとしても、電気部品の損傷を防止することができる遊技機を提供する。【解決手段】電源基板３１の電圧生成部３２において、生成した直流電圧を他の基板へ供給するための電源ラインＬ１、Ｌ２、Ｌ３にツェナーダイオードＺＤ１、ＺＤ２、ＺＤ４を接続しており、各電源ラインＬ１、Ｌ２、Ｌ３にツェナーダイオードＺＤ１、ＺＤ２、ＺＤ４の降伏電圧以上の電圧が印加されないように構成している。したがって、たとえばコネクタ部３５において端子１、２間がショートしたとしても、ＤＣ５Ｖ電源ラインＬ１に接続されているＩＣ等の電気部品が過電負荷により損傷する事態を防止することができる。【選択図】図４
2011115269.tif 000002
【特許請求の範囲】
【請求項１】
電源基板に、交流電圧から複数種類の直流電圧を生成する電圧生成部と、生成された直流電圧を他の基板へ供給するためのコネクタ部とが設けられた遊技機であって、
前記コネクタ部に複数の端子を設ける一方、
前記電圧生成部に、生成した直流電圧を前記他の基板へ出力するための電源ラインを生成する直流電圧値毎に設け、各電源ラインを異なる前記端子に接続して前記端子毎に異なる電圧を印加させるとともに、各電源ラインに、降伏電圧が各電源ラインの電圧以上であるツェナーダイオードを接続しており、
前記コネクタ部において印加された電圧の異なる前記端子間がショートしたとしても、前記電源ラインに前記降伏電圧以上の電圧が印加されることを防止したことを特徴とする遊技機。
【発明の詳細な説明】
【技術分野】
【０００１】
本発明は、電源基板において交流電圧から複数種類の直流電圧を生成し、各種制御基板や部材へ供給するパチンコ機等といった遊技機に関するものである。
【背景技術】
【０００２】
従来、一般的な遊技機の一例であるパチンコ機には、商業電源（ＡＣ１００Ｖ）をトランスで変圧した交流電源（ＡＣ２４Ｖ）をもとに、様々な直流電圧（たとえば、ＤＣ２４ＶやＤＣ１２Ｖ）を生成し、この直流電圧を所謂メイン制御基板等の他の基板やチューリップ式電動役物等の各種部材に供給するための電源基板が設けられている（たとえば特許文献１）。そして、電源基板には、他の基板へ直流電圧を出力するためのコネクタが設けられている。当該コネクタには、一般的に、複数の端子が設けられており、各端子にはそれぞれ異なる直流電圧が印加されている。
【先行技術文献】
【特許文献】
【０００３】
【特許文献１】特開２００１−１９８２７４号公報
【発明の概要】
【発明が解決しようとする課題】
【０００４】
上記電源基板にあっては、基板同士をコネクタ接続する際等に端子間がショートしてしまい、ＤＣ５Ｖが印加されている端子にＤＣ２４Ｖが印加される等といった事態が起こり得る。そして、当該事態が発生すると、電源基板に設置されているＩＣ等の電気部品が過電負荷を受けて損傷してしまう。
【０００５】
そこで、本発明は、上記問題に鑑みなされたものであって、異なる直流電圧が印加された端子間がショートしたとしても、電気部品の損傷を防止することができる遊技機を提供しようとするものである。
【課題を解決するための手段】
【０００６】
上記目的を達成するために、本発明のうち請求項１に記載の発明は、電源基板に、交流電圧から複数種類の直流電圧を生成する電圧生成部と、生成された直流電圧を他の基板へ供給するためのコネクタ部とが設けられた遊技機であって、前記コネクタ部に複数の端子を設ける一方、前記電圧生成部に、生成した直流電圧を前記他の基板へ出力するための電源ラインを生成する直流電圧値毎に設け、各電源ラインを異なる前記端子に接続して前記端子毎に異なる電圧を印加させるとともに、各電源ラインに、降伏電圧が各電源ラインの電圧以上であるツェナーダイオードを接続しており、前記コネクタ部において印加された電圧の異なる前記端子間がショートしたとしても、前記電源ラインに前記降伏電圧以上の電圧が印加されることを防止したことを特徴とする。
【発明の効果】
【０００７】
本発明によれば、電圧生成部に、生成した直流電圧を他の基板へ出力するための電源ラインを生成する直流電圧値毎に設け、各電源ラインを異なる端子に接続して端子毎に異なる電圧を印加させるとともに、各電源ラインに、降伏電圧が各電源ラインの電圧以上であるツェナーダイオードを接続している。したがって、コネクタ部において印加された電圧の異なる端子間がショートしたとしても、電源ラインにツェナーダイオードの降伏電圧以上の電圧が印加されることを防止することができ、たとえば電源ラインに接続されているＩＣ等の電気部品が過電負荷により損傷する事態を防止することができる。
【図面の簡単な説明】
【０００８】
【図１】パチンコ機を前面側から示した説明図である。
【図２】パチンコ機を後面側から示した説明図である。
【図３】カバー部材の内部を示した説明図である。
【図４】パチンコ機の制御機構を示したブロック構成図である。
【図５】電源基板の回路図である。
【発明を実施するための形態】
【０００９】
以下、本発明の一実施形態となるパチンコ機について、図面にもとづき詳細に説明する。
【００１０】
（パチンコ機の説明）
図１は、パチンコ機１を前面側から示した説明図である。また、図２は、パチンコ機１を後面側から示した説明図であり、図３は、カバー部材５１の内部を示した説明図である。さらに、図４は、パチンコ機１の制御機構を示したブロック構成図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１１】
当該遊技領域２ａは、遊技盤２の前面に円弧状に配設された外レール及び内レール等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、遊技球が通過可能なゲート部材４１、一対の爪片を開閉動作可能に備えたチューリップ式電動役物１７、開閉可能な扉部材を有する大入賞装置１８、多数の遊技釘４２、４２・・や風車４３等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、どちらもミドル枠５の開放等に伴い機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置６４、及び各制御基板や装置・部材に電源電圧を供給するための電源基板３１（図４に示す）を収納した電源装置５２等が設置されている。また、５１は、合成樹脂製のカバー部材であって、当該カバー部材５１の内部には、図柄表示部６に「図柄」を表示させるための液晶表示装置（図示せず）、遊技に係る主たる制御（たとえば、所謂「大当たり抽選」等）を実行するためのメイン制御基板２１（図４に示す）を収納したメイン制御装置２０、図柄表示部６における表示動作等を制御する表示制御装置６３、及び払出装置１２や表示制御装置６３、スピーカ１４やランプ部材１５等の動作を統合的に制御するサブ統合基板２３（図４に示す）を内蔵したサブ制御装置２２等が設置されている。尚、６１は、パチンコ機１をトランスに接続するためのプラグであり、６２は、アースである。
【００１４】
以上のようなパチンコ機１では、スイッチを入れる等して電源をＯＮすると、電源基板３１で交流電圧から複数の直流電圧（ここでは、ＤＣ２４Ｖ、ＤＣ１２Ｖ、及びＤＣ５Ｖ）が生成され、当該直流電圧が各種基板や装置・部材に供給されて、パチンコ機１が立ち上がる。その後、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１５】
（ショート対策機能の説明）
ここで、本発明の要部となるショート対策機能について説明する。
メイン制御基板２１は、メインＣＰＵ２５、ＲＯＭやＲＡＭからなるメイン記憶手段２６、インターフェイス２７、タイマ２８等を備えており、メインＣＰＵ２５において上述したような遊技に係る主たる制御等を実行する。また、メインＣＰＵ２５は、インターフェイス２７を介してサブ統合基板２３のサブＣＰＵ（図示せず）と電気的に接続されており、遊技に係る主たる制御等伴う各種指令をサブＣＰＵへ送信可能となっている。さらに、メインＣＰＵ２５には、インターフェイス２７を介して、パチンコ機１に電波妨害等の電波による不正が行われたことを検出するための電波検出スイッチ３６、及びチューリップ式電動役物１７や大入賞装置１８への遊技球の入賞を検出するための入賞検出スイッチ３８が接続されている。これらの検出スイッチ３６、３８はＤＣ１２Ｖラインに接続されており、メインＣＰＵ２５は、電波検出スイッチ３６の電圧の変化を検出すると電波妨害（不正行為）ありと判断し、入賞検出スイッチ３８の電圧の変化を検出すると入賞ありと判断する。尚、メインＣＰＵ２５は、チューリップ式電動役物１７や大入賞装置１８とも接続されており、抽選の結果等に応じてそれらの動作を制御するようになっている。また、メインＣＰＵ２５自体は、ＤＣ５Ｖラインに接続されており、ＤＣ５Ｖで動作する。
【００１６】
一方、メイン制御基板２１は、電源基板３１から電源電圧を供給されている。この電源基板３１は、図５に示すように、商業電源（ＡＣ１００Ｖ）をトランス（図示せず）により変圧した交流電源（ＡＣ２４Ｖ）からＤＣ１２ＶやＤＣ２４Ｖ等の各種直流電圧を生成する電圧生成部３２、メイン制御基板２１へ送信するリセット信号や停電信号、リセット解除信号等の各種信号を生成する信号生成部３３、電圧生成部３２の電圧を監視する電圧監視部３４、及び複数の端子を有するコネクタ部３５を備えている。電圧生成部３２には、ＤＣ５Ｖを生成するＤＣ５Ｖ生成部３２ａ、ＤＣ１２Ｖを生成するＤＣ１２Ｖ生成部３２ｂ、及びＤＣ２４Ｖを生成するＤＣ２４Ｖ生成部３２ｃが設けられている。そして、各生成部３２ａ〜３２ｃには、生成した直流電圧をメイン制御基板２１等の他の基板へ供給するための電源ライン（ＤＣ５Ｖ電源ラインＬ１、ＤＣ１２Ｖ電源ラインＬ２、ＤＣ２４Ｖ電源ラインＬ３）が設けられ、コネクタ部３５まで延びている。そして、当該電源ラインＬ１〜Ｌ３に、過電負荷による電気部品の損傷を防止するためのツェナーダイオードが接続されている。すなわち、ＤＣ５Ｖ電源ラインＬ１には降伏電圧８ＶのツェナーダイオードＺＤ４が、ＤＣ１２Ｖ電源ラインＬ２には降伏電圧１５ＶのツェナーダイオードＺＤ１が、ＤＣ２４Ｖ電源ラインＬ３には降伏電圧３３ＶのツェナーダイオードＺＤ２が夫々接続されており、たとえ降伏電圧以上の電圧が印加されたとしても電源ラインＬ１〜Ｌ３の電圧を当該降伏電圧で維持可能としている。尚、ツェナーダイオードＺＤ１、ＺＤ２、ＺＤ４は各電源ラインＬ１、Ｌ２、Ｌ３と接地電位との間に接続されている。
【００１７】
一方、コネクタ部３５には、複数の端子を有するコネクタが複数個設けられており、たとえばコネクタＣＮ５では１８個の端子が備えられ、端子１にはＤＣ２４Ｖが、端子２にはＤＣ５Ｖが夫々印加されている。また、電圧監視部３４は、ＤＣ２４Ｖ電源ラインＬ３の電圧を監視しており、当該電圧が１８Ｖ以下になると、電源スイッチがＯＦＦ操作されて（若しくは停電が発生して）電源がＯＦＦされたと判断する。そして、電源ＯＦＦと判断すると信号生成部３３へ指令を出し、停電信号とリセット信号とを作成させ、メイン制御基板２１へまず停電信号、次にリセット信号の順で信号を送信させる。尚、メイン制御基板２１では、停電信号を受信すると、メインＣＰＵ２５の動作状態をメイン記憶手段２６にバックアップし、リセット信号を受信したことをもってメインＣＰＵ２６の動作を停止するようになっている。
【００１８】
このような電源基板３１では、たとえば電源基板３１とメイン制御基板２１とをコネクタ接続する際等に、コネクタ部３５において端子間がショートし、ＤＣ５Ｖ電源ラインＬ１に端子が隣り合うＤＣ２４が印加されてしまうおそれがある。しかしながら、ＤＣ５Ｖ電源ラインＬ１には降伏電圧８ＶのツェナーダイオードＺＤ４が接続されているため、ＤＣ５Ｖ電源ラインＬ１に８Ｖ以上の電圧が印加されることはない。したがって、たとえばＤＣ５Ｖ電源ラインＬ１に接続されているＩＣ４等の電気部品が損傷しない。
【００１９】
（本実施形態による効果）
以上のように構成されるパチンコ機１によれば、電源基板３１の電圧生成部３２において、生成した直流電圧を他の基板へ供給するための電源ラインにツェナーダイオードを接続しており、各電源ラインにツェナーダイオードの降伏電圧以上の電圧が印加されないように構成している。したがって、たとえばコネクタ部３５において端子１、２間がショートしたとしても、ＤＣ５Ｖ電源ラインＬ１に接続されているＩＣ４等の電気部品が過電負荷により損傷する事態を防止することができる。
【００２０】
（本発明の変更例）
なお、本発明の遊技機に係る構成は、上記実施形態に何ら限定されるものではなく、ショート対策機能に係る構成や遊技機本体の構成等について、本発明の趣旨を逸脱しない範囲で必要に応じて適宜変更可能である。
【００２１】
たとえば、上記実施形態では、ＤＣ５Ｖ電源ラインＬ１に降伏電圧８ＶのツェナーダイオードＺＤ４を、ＤＣ１２Ｖ電源ラインＬ２に降伏電圧１５ＶのツェナーダイオードＺＤ１を、ＤＣ２４Ｖ電源ラインＬ３に降伏電圧３３ＶのツェナーダイオードＺＤ２を夫々接続しているが、各電源ラインに接続するツェナーダイオードの降伏電圧は当該形態に何ら限定されず、降伏電圧が少なくとも各電源ラインの電圧以上であれば、電気部品が壊れない範囲で上記実施形態とは降伏電圧の異なるツェナーダイオードを接続させてもよい。
また、全ての電源ラインに必ずしもツェナーダイオードを接続する必要はなく、コネクタ部３５において端子が離れており、端子間がショートするおそれが低いような電源ラインについては、ツェナーダイオードを設けなくても良い。
さらに、本発明をパチンコ機以外の遊技機（たとえばスロットマシーン）に適用可能であることは言うまでもない。
【符号の説明】
【００２２】
１・・パチンコ機、２０・・メイン制御装置、２１・・メイン制御基板（制御部）、２５・・メインＣＰＵ、２６・・メイン記憶手段、３１・・電源基板、３２・・電圧生成部、３２ａ・・ＤＣ５Ｖ生成部、３２ｂ・・ＤＣ１２Ｖ生成部、３２ｃ・・ＤＣ２４Ｖ生成部、３３・・信号生成部、３４・・電圧監視部、３６・・電波検出スイッチ、３８・・入賞検出スイッチ、ＺＤ１、ＺＤ２、ＺＤ４・・ツェナーダイオード。
【図１】
2011115269.tif 000003
【図２】
2011115269.tif 000004
【図３】
2011115269.tif 000005
【図４】
2011115269.tif 000006
【図５】
2011115269.tif 000007